(57)【要約】【課題】  サポータに設けられたテーピング部の割れによって生じるテーピング機能の低下を防止することができるサポータ及びその製造方法を提供する。【解決手段】  本発明のテーピング機能を有するサポータ１は、筒状のサポータ本体２と、前記サポータ本体２と一体的に設けられたシリコン樹脂からなる帯状のテーピング部３とを備えている。前記サポータ本体２の表面側にシリコン樹脂が浸透可能な第１繊維層４を設け、前記テーピング部３の少なくとも一部が、前記第１繊維層４に浸透している。【選択図】      図１
2007092220.tif 000002
【特許請求の範囲】
【請求項１】
筒状のサポータ本体と、
前記サポータ本体と一体的に設けられたシリコン樹脂からなる帯状のテーピング部とを備え、
前記サポータ本体の表面側にシリコン樹脂が浸透可能な第１繊維層を設け、
前記テーピング部の少なくとも一部が、前記第１繊維層に浸透していることを特徴とするテーピング機能を有するサポータ。
【請求項２】
前記第１繊維層が、レーヨン長繊維糸とナイロン糸とで構成される請求項１に記載のテーピング機能を有するサポータ。
【請求項３】
前記サポータ本体が、その裏面側にシリコン樹脂が付着可能な第２繊維層を有する請求項１又は２に記載のテーピング機能を有するサポータ。
【請求項４】
前記第２繊維層が、ポリエステル糸とレーヨン短繊維糸とで構成される請求項３に記載のテーピング機能を有するサポータ。
【請求項５】
筒状のサポータ本体と、
前記サポータ本体と一体的に設けられたシリコン樹脂からなる帯状のテーピング部とを備えるテーピング機能を有するサポータの製造方法であって、
サポータ本体の表面側にシリコン樹脂が浸透可能な第１繊維層を編成する工程、及び当該サポータ本体のテーピング機能を付与したい部分にシリコン樹脂を浸透させてサポータ本体の表面側にテーピング部を形成する工程を含むことを特徴とする製造方法。
【請求項６】
前記サポータ本体の表面側にシリコン樹脂が浸透可能な第１繊維層を編成し、裏面側にシリコン樹脂が付着可能な第２繊維層を編成する工程、及び当該サポータ本体のテーピング機能を付与したい部分にシリコン樹脂を浸透させてサポータ本体の表面側から裏面近くまでテーピング部を形成する工程を含む請求項５に記載のテーピング機能を有するサポータの製造方法。
【発明の詳細な説明】
【技術分野】
【０００１】
本発明は、テーピング機能を有するサポータ及びその製造方法に関する。
【背景技術】
【０００２】
テーピングは、一方の面に粘着剤の付いた綿や化学繊維等でできたテープを体の一部に貼り、関節、靱帯等に対し支持、圧迫等を行うものであり、最近では特にスポーツ分野において、外傷発生の予防、早期からの機能回復訓練等を目的として広く用いられている。ところが、テーピングに用いるテープは、患者の体質によってかぶれが生じるおそれがあり、また使い捨てであって施術のたびに新しいテープを必要とするという欠点がある。さらにテーピングは装着に手間がかかり、専門的な知識及び技術を必要とするという問題がある。
このため、サポータにテーピング機能を付与して、サポータを装着するだけで簡単にテーピング効果が得られるサポータが種々提案されており、その一例として、サポータ本体の表面にテーピング部が印刷されている膝用サポータを挙げることができる（例えば、特許文献１参照）。
【特許文献１】特開２００３−８８５４４号公報
【発明の開示】
【発明が解決しようとする課題】
【０００３】
しかしながら、特許文献１のサポータは、テーピング部がサポータ本体の表面に印刷されているだけなので、このサポータを繰り返し使用するとサポータ本体とともにテーピング部が繰り返し伸縮されることによりテーピング部に割れが生じ、テーピング機能が早期に低下することがあった。
本発明はこのような事情に鑑みてなされたものであり、サポータに設けられたテーピング部の割れによって生じるテーピング機能の低下を防止することができるサポータ及びその製造方法を提供することを目的としている。
【課題を解決するための手段】
【０００４】
本発明は上記目的を達成するために次の技術的手段を講じた。
本発明のテーピング機能を有するサポータは、
筒状のサポータ本体と、
前記サポータ本体と一体的に設けられたシリコン樹脂からなる帯状のテーピング部とを備え、
前記サポータ本体の表面側にシリコン樹脂が浸透可能な第１繊維層を設け、
前記テーピング部の少なくとも一部が、前記第１繊維層に浸透していることを特徴としている。
この構成によれば、サポータ本体の表面側にシリコン樹脂が浸透可能な第１繊維層が設けられ、テーピング部の少なくとも一部が第１繊維層に浸透しているので、テーピング部とサポータ本体とが一体となって伸縮するため、サポータの繰り返し使用によって生じるテーピング部の割れを防止することができる。これによりテーピング機能の低下を防止することができる。
【０００５】
ここで、シリコン樹脂が浸透可能な第１繊維層は、糸表面に付着するシリコン樹脂の布着量が少ない繊維糸とシリコン樹脂の固化を遅らせる性質を有する繊維糸とで構成されている。糸表面に付着するシリコン樹脂の布着量が少ない繊維糸として、例えば、レーヨン長繊維糸、シルク長繊維糸、キュプラ（ベンベルグ（登録商標））長繊維糸等が挙げられ、シリコン樹脂の固化を遅らせる性質を有する繊維糸として、例えば、ナイロン糸、天然ゴム等が挙げられる。
前記第１繊維層は、レーヨン長繊維糸とナイロン糸とで構成されていてもよい。この場合、シリコン樹脂はサポータ表面に留まることなく、第１繊維層の編目の間を浸透しながらゆっくり固化するので、テーピング部とサポータ本体とを一体的に形成することができる。
【０００６】
本発明のテーピング機能を有するサポータにおいて、サポータ本体が、シリコン樹脂が付着可能な第２繊維層を有していてもよい。
この場合、サポータ本体の裏面側にシリコン樹脂が付着可能な第２繊維層を設けることにより、第１繊維層を通過したシリコン樹脂が第２繊維層の内部で固まるので、サポータ本体の裏面までシリコン樹脂が浸透することがなく、テーピング部の素材としてのシリコン樹脂が着用者の地肌に触れることにより起こるムレ、かゆみ等の肌トラブルを防止することができる。
【０００７】
ここで、シリコン樹脂が付着可能な第２繊維層は、シリコン樹脂を付着させることができる繊維糸で構成されている。シリコン樹脂を付着させることができる繊維糸として、例えば、ポリエステル糸、レーヨン短繊維糸、綿糸、アクリル糸等が挙げられる。第２繊維層は、１種類の糸で構成されていてもよいし、２種類以上の糸で構成されていてもよい。
前記第２繊維層は、ポリエステル糸とレーヨン短繊維糸とで構成されていてもよい。この場合、第１繊維層を通過したシリコン樹脂が第２繊維層を構成するポリエステル糸及びレーヨン短繊維糸の表面に付着した状態で固まるので、サポータ本体の裏面までシリコン樹脂が浸透することがなくなる。
【０００８】
また、本発明のテーピング機能を有するサポータの製造方法は、
筒状のサポータ本体と、
前記サポータ本体と一体的に設けられたシリコン樹脂からなる帯状のテーピング部とを備えるテーピング機能を有するサポータの製造方法であって、
サポータ本体の表面側にシリコン樹脂が浸透可能な第１繊維層を編成する工程、及び当該サポータ本体のテーピング機能を付与したい部分にシリコン樹脂を浸透させてサポータ本体の表面側にテーピング部を形成する工程を含むことを特徴としている。
上記の方法によれば、テーピング部をサポータ本体と一体的に設けることができるため、サポータを繰り返し使用してもテーピング部に割れが生じないサポータを製造することができる。
【０００９】
上記製造方法において、前記サポータ本体の表面側にシリコン樹脂が浸透可能な第１繊維層を編成し、裏面側にシリコン樹脂が付着可能な第２繊維層を編成する工程、及び当該サポータ本体のテーピング機能を付与したい部分にシリコン樹脂を浸透させてサポータ本体の表面側から裏面近くまでテーピング部を形成する工程を含んでもよい。
この場合には、サポータ本体の裏面までシリコン樹脂が浸透することがないので、テーピング部の素材としてのシリコン樹脂が着用者の地肌に触れることにより起こるムレ、かゆみ等の肌トラブルを防止することができるサポータを製造することができる。
【発明の効果】
【００１０】
本発明によれば、サポータに設けられたテーピング部の割れによって生じるテーピング機能の低下を防止することができるサポータ及びその製造方法を得ることができる。
【発明を実施するための最良の形態】
【００１１】
以下、添付図面を参照しつつ、本発明の実施形態を説明する。図１は本発明のテーピング機能を有するサポータの一実施形態の斜視図であり、このサポータは主として膝用に構成されている。本実施形態に係るサポータ１は、筒状のサポータ本体２と、このサポータ本体２に設けられたシリコン樹脂からなる帯状のテーピング部３とから構成されている。
【００１２】
サポータ本体２は、着用者の脚の少なくとも膝上下部及び膝窩（膝裏部）を被覆する筒状のものであり、図２に示すように、表面側のレーヨン長繊維糸４ａ及びナイロン糸４ｂからなるシリコン樹脂が浸透可能な第１繊維層４と、その裏面側のポリエステル糸５ａ及びレーヨン短繊維糸５ｂからなるシリコン樹脂が付着可能な第２繊維層５とからなる二層構造のものである。
【００１３】
第１繊維層４は、レーヨン長繊維糸４ａとナイロン糸４ｂとで構成され、粗ゲージで編むことによりシリコン樹脂をさらに浸透しやすくしている。レーヨン長繊維糸４ａは、シリコン樹脂が表面に付着しやすい繊維であるが糸表面積が小さい（毛羽立ちがない）ので結果的に糸表面に付着するシリコン樹脂の量が少なくなる。このため、糸表面に付着できなかったシリコン樹脂が粗い編目の間を通過することになる。この糸と組み合わせるナイロン糸４ｂは、シリコン樹脂の固化を遅らせる性質を有しているので、サポータ本体２の表面側に、レーヨン長繊維糸４ａとナイロン糸４ｂとで粗ゲージで編まれた第１繊維層４を形成することで、シリコン樹脂はサポータ本体２の表面に留まることなく、第１繊維層４の編目の間を浸透しながらゆっくり固化することになる。
【００１４】
第２繊維層５はポリエステル糸５ａとレーヨン短繊維糸５ｂとで構成されている。ポリエステル糸５ａ及びレーヨン短繊維糸５ｂは、いずれもシリコン樹脂が糸表面に付着しやすい糸であり、特にレーヨン短繊維糸５ｂは糸表面積が大きい（毛羽立ちが大きい）ので糸表面に付着するシリコン樹脂の量が多い。従って、サポータ本体２の裏側に、ポリエステル糸５ａとレーヨン短繊維糸５ｂとで編まれた第２繊維層５を形成することで、第１繊維層４を通過したシリコン樹脂を第２繊維層５の糸表面に付着させて固化させることが可能になる。
【００１５】
サポータ本体２の生地を二層にすることにより、シリコン樹脂が第１繊維層４を通過しても第２繊維層５の内部で固まり、サポータ本体２の裏面までシリコン樹脂が浸透しないため、テーピング部３の素材としてのシリコン樹脂が着用者の地肌に触れることにより起こるムレ、かゆみ等の肌トラブルを防止することができる。
【００１６】
サポータ本体２には、テーピング機能を付与すべく帯状に延びるテーピング部３がサポータ本体２と一体的に設けられている。テーピング部３は、表面側が第１繊維層４の表面からやや突出し、第１繊維層４に浸透し、さらに第２繊維層５の裏面側付近まで浸透することによりサポータ本体２と一体化している。そしてこのテーピング部３は、着用者の脚の膝蓋骨を囲むように正面から見て左右対称に倒Ｍ字状に延びている。
【００１７】
テーピング部３がサポータ本体２に設けられることにより、サポータ本体２においてテーピング部３の配設部分が伸びにくくなり、その結果、サポータ１装着時には、テーピング部３が着用者の脚の膝蓋骨周辺部位を締め付けてテーピング作用を及ぼす。しかも、テーピング部３がサポータ本体２と一体的に設けられているので、これらが一体となって伸縮するため、サポータ１を繰り返し使用してもテーピング部３が割れることがなく、テーピング機能の低下を防止することができる。
【００１８】
本発明のテーピング機能を有するサポータ１は、サポータ本体２の表面側にシリコン樹脂が浸透可能な第１繊維層４を編成し、裏面側にシリコン樹脂が付着可能な第２繊維層５を編成する工程、及び当該サポータ本体２のテーピング機能を付与したい部分にシリコン樹脂を浸透させてサポータ本体２の表面側から裏面近くまでテーピング部３を形成する工程を経て製造される。
【００１９】
さらに詳述すると、表面側から順にレーヨン長繊維糸４ａ、ナイロン糸４ｂ、ポリエステル糸５ａ及びレーヨン短繊維糸５ｂの糸構成とし、粗ゲージ（９ゲージ前後）で筒状に編みたてる。その後、適当な長さに裁断し、上下を縫製すると、表面側にレーヨン長繊維糸４ａとナイロン糸４ｂとで構成されるシリコン樹脂が浸透可能な第１繊維層４、裏面側にポリエステル糸５ａとレーヨン短繊維糸５ｂとで構成されるシリコン樹脂が付着可能な第２繊維層５が編成されたサポータ本体２が完成する。
【００２０】
次に、サポータ本体２のテーピング機能を付与したい部分にシリコン樹脂を浸透させる。ここで、シリコン樹脂は、あらかじめシリコン硬化剤と混合して浸透粘度２０００〜３０００Ｐのペースト状に調整しておく。浸透粘度は２０００Ｐ未満であると浸透しすぎるため好ましくなく、３０００Ｐを超えると浸透しにくくなるため好ましくない。サポータ本体２上にシルクスクリーン等によりテーピング部３の位置（ほぼ中央）及び形状（倒Ｍ字状）を設定し、そのシルクスクリーン上にペースト状のシリコン樹脂をのせ、ゴム素材のヘラで圧力をかけながらシリコン樹脂を摺りこんでいく。その後、７０〜８０℃の温度で約１５分間乾燥させることにより、シリコン樹脂のさらなる浸透及び固化をはかる。
【００２１】
この方法によれば、シリコン樹脂を圧力をかけながら摺りこむことにより、シリコン樹脂が第１繊維層４の編目の間を浸透しつつゆっくりと固化し、さらに第１繊維層４を通過したシリコン樹脂が第２繊維層５の内部で固化するために、テーピング部３をサポータ本体２の第２繊維層５まで浸透させて一体化することができる。これにより、サポータ１を繰り返し使用してもテーピング部３に割れが生じず、さらにシリコン樹脂が着用者の地肌に触れることにより起こる肌トラブルを防止することができるサポータ１を製造することができる。
【００２２】
なお、本発明において、前述の実施形態に限らず、本発明の範囲内で適宜変更が可能であり、例えば、テーピング部３の表面は、サポータ本体２と面一でもかまわない。前述の膝用サポータのテーピング部３は上記形状に限られず、テーピングを必要とする部位ならばどこに設けてもかまわない。テーピング機能を有するサポータ１は、膝用のものに限られず、ふくらはぎ用、足首用等とすることも可能である。この場合、サポータ本体２の長さ、上幅、下幅、テーピング部の位置等は適宜変更すればよい。
【図面の簡単な説明】
【００２３】
【図１】本発明のテーピング機能を有するサポータの一実施形態の斜視図である。
【図２】本発明のテーピング機能を有するサポータのテーピング部を示すイメージ図である。
【符号の説明】
【００２４】
１    テーピング機能を有するサポータ
２    サポータ本体
３    テーピング部
４    第１繊維層
４ａ  レーヨン長繊維糸
４ｂ  ナイロン糸
５    第２繊維層
５ａ  ポリエステル糸
５ｂ  レーヨン短繊維糸
【図１】
2007092220.tif 000003
【図２】
2007092220.tif 000004